(57)【要約】【課題】被清掃面のダニ検出を精度よくおこなうことができる電気掃除機を提供する。【解決手段】電動送風機２を内蔵し塵埃を集塵する集塵室（図示せず）を有する掃除機本体１と、電動送風機２を駆動する電動送風機駆動手段２７と、所定の大きさの塵埃に対して反応する第１塵埃検出手段２０と、前記所定の大きさに比べ小さな塵埃に対して反応可能な第２塵埃検出手段２１と、吸引風が通過する経路に配され被清掃面の近傍の湿度を検知する湿度センサ１５を備え、第１、第２塵埃検出手段２０，２１および湿度センサ１５の出力結果から吸引した塵埃がダニであると推定するもので、湿度センサ１５が被清掃面の近傍または被清掃面の含有水分を加味した湿度を精度よく検出することができ、さらに、吸引した塵埃の大きさも検出できるため、その両方の情報を基に吸引した塵埃がダニであるかどうかの推定が精度よくでき、使用者に精度の高い情報を提供できる。【選択図】図３
2017131266.tif 000002
【特許請求の範囲】
【請求項１】
吸引風を発する電動送風機を内蔵すると共に塵埃を集塵する集塵室を有する掃除機本体と、前記電動送風機を駆動する電動送風機駆動手段と、所定の大きさの塵埃に対して反応する第１塵埃検出手段と、前記所定の大きさに比べ小さな塵埃に対して反応可能な第２塵埃検出手段と、吸引風が通過する経路に配され被清掃面の近傍の湿度を検知する湿度検出手段を備え、前記第１、第２塵埃検出手段および前記湿度検出手段の出力結果から吸引した塵埃がダニであると推定することを特徴とする電気掃除機。
【請求項２】
電気掃除機を運転する前の湿度検出手段の出力と運転中の前記湿度検出手段の出力を比較する湿度差比較手段を備え、前記湿度差比較手段の出力が所定値以上であると、吸引した塵埃がダニであると推定する請求項１に記載の電気掃除機。
【請求項３】
被清掃面の塵埃を吸引する吸込口を有する吸い込み具を備え、湿度検出手段を前記吸込口の近傍に設けることを特徴とする請求項１または２に記載の電気掃除機。
【請求項４】
吸引した塵埃がダニであると推定された場合、使用者に吸引塵埃がダニであることを報知する報知手段を備えた請求項１〜３のいずれか１項に記載の電気掃除機。
【請求項５】
吸引した塵埃がダニであると推定された場合、電動送風機駆動手段は電動送風機への通電量を上げることを特徴とする請求項１〜４のいずれか１項に記載の電気掃除機。
【請求項６】
吸い込み具は、塵埃を掻き上げる回転ブラシと前記回転ブラシを駆動する電動機を内蔵し、吸引した塵埃がダニであると推定された場合、前記電動機の回転数を上げることを特徴とする請求項３〜５のいずれか１項に記載の電気掃除機。
【発明の詳細な説明】
【技術分野】
【０００１】
本発明は、電気掃除機に関するものである。
【背景技術】
【０００２】
近年、外気の花粉などの影響により花粉症を発症する人が増加し、布団を天日干しせずアレルギーを引き起こす原因となるダニが布団で繁殖しやすい環境となり、電気掃除機で布団を掃除しダニを除去することが望まれるようになってきた。
【０００３】
従来の電気掃除機においては、電気掃除機により吸引したダニを熱風で死滅させたり、ダニの繁殖が活性化する室内の温度や湿度を検知し（例えば温度２０〜３０℃、湿度６０〜８０％など）、その情報を使用者へ報知し、使用者が念入りに掃除作業を行なうように注意喚起を促す電気掃除機が提案されている（例えば、特許文献１参照）。
【０００４】
また、ダニの繁殖が活性化する室内の環境情報と、吸引空気通路内に赤外ＬＥＤの受発光などで形成された塵埃センサを備え、吸引空気通路を通過した塵埃の検知情報を表示することで、効率よくダニを捕集する電気掃除機も提案されている（例えば、特許文献２参照）。
【先行技術文献】
【特許文献】
【０００５】
【特許文献１】特開平２−２６４６２２号公報
【特許文献２】特開平９−３２７４２５号公報
【発明の概要】
【発明が解決しようとする課題】
【０００６】
しかしながら、上述の特許文献１に記載された従来の電気掃除機では、室内の環境情報でダニが発生しやすいかどうかを使用者に報知する方法であり、例えば、梅雨や夏場の湿度の高い時期であると、ほとんど毎日ダニが発生しやすい環境と判断し、本当にダニが存在していなくとも、使用者に念入りに掃除させることを促してしまう。
【０００７】
また逆に冬場であれば、乾燥していて湿度が低い時期であると、ダニが発生しやすい環境である日がほとんどないと使用者に知らせることとなり、例えば布団などで湿度が高い場所を掃除してもダニは存在しないことになってしまう。特に、布団などは室内の環境ではなく、被清掃面の湿度によりダニが存在しやすいかどうかが影響を受けやすい場合には、使用者に精度の悪い情報を与えてしまうことになる。
【０００８】
また、上述の特許文献２に記載の電気掃除機では、吸引した塵埃を検知し、その情報と室内の環境情報で使用者にダニに関する情報を提供している。上述の特許文献１に記載された電気掃除機よりダニに関する情報精度は高くなっているが、例えば、布団に付着している髪の毛などの大きいごみを吸引した場合であっても、湿度が高い環境下であればダニが存在することを使用者に知らせてしまうこととなり、使用者に精度の悪い情報を与えてしまうという課題があった。
【０００９】
本発明は、上記従来技術の有する課題に鑑みてなされたものであり、布団などに存在するダニの検出を精度よく行い、効率的に被清掃面を清掃できる使い勝手のよい電気掃除機を提供することを目的とする。
【課題を解決するための手段】
【００１０】
上記従来技術の有する課題を解決するために、本発明の電気掃除機は、吸引風を発する電動送風機を内蔵すると共に塵埃を集塵する集塵室を有する掃除機本体と、前記電動送風機を駆動する電動送風機駆動手段と、所定の大きさの塵埃に対して反応する第１塵埃検出手段と、前記所定の大きさに比べ小さな塵埃に対して反応可能な第２塵埃検出手段と、吸引風が通過する経路に配され被清掃面の近傍の湿度を検知する湿度検出手段を備え、前記第１、第２塵埃検出手段および前記湿度検出手段の出力結果から吸引した塵埃がダニであると推定するもので、吸引風が通過する経路に湿度検出手段が配されているため被清掃面の近傍または被清掃面の含有水分を加味した湿度を精度よく検出することができ、さらに、吸引した塵埃の大きさも検出できるため、その両方の情報を基に吸引した塵埃がダニであるかどうかの推定ができる。これによりダニ検出の精度が高くなり、使用者に精度の高い情報を提供できる。
【発明の効果】
【００１１】
本発明の電気掃除機によれば、被清掃面の近傍または被清掃面の含有水分を加味した湿度を精度よく検出することができ、さらに、吸引した塵埃の大きさも検出できる。その両方の情報を基に吸引した塵埃がダニであるかどうかの推定ができるため、ダニ検出の精度が高くなり、使用者に精度の高い情報を提供でき、効率的に被清掃面を清掃できる使い勝手のよい電気掃除機を提供することができる。
【図面の簡単な説明】
【００１２】
【図１】本発明の実施の形態１における電気掃除機の斜視図
【図２】同電気掃除機の吸い込み具の断面図
【図３】同電気掃除機の制御ブロック図
【図４】同電気掃除機の塵埃検知部の断面図
【図５】同電気掃除機において、大きい塵埃の場合の第１増幅判定手段と第２増幅判定手段の出力の関係を示すグラフ
【図６】同電気掃除機において、小さい塵埃の場合の第１増幅判定手段と第２増幅判定手段の出力の関係を示すグラフ
【図７】同電気掃除機において、被清掃面である布団を掃除した場合の塵埃の検出量と湿度センサの出力の組み合わせパターンを示す図
【図８】本発明の実施の形態２における電気掃除機の制御ブロック図
【図９】同電気掃除機において、被清掃面である布団を掃除した場合の塵埃の検出量と湿度センサの出力の組み合わせパターンを示す図
【発明を実施するための形態】
【００１３】
第１の発明は、吸引風を発する電動送風機を内蔵すると共に塵埃を集塵する集塵室を有する掃除機本体と、前記電動送風機を駆動する電動送風機駆動手段と、所定の大きさの塵埃に対して反応する第１塵埃検出手段と、前記所定の大きさに比べ小さな塵埃に対して反応可能な第２塵埃検出手段と、吸引風が通過する経路に配され被清掃面の近傍の湿度を検知する湿度検出手段を備え、前記第１、第２塵埃検出手段および前記湿度検出手段の出力結果から吸引した塵埃がダニであると推定するもので、吸引風が通過する経路に湿度検出手段が配されているため被清掃面の近傍または被清掃面の含有水分を加味した湿度を精度よく検出することができ、さらに、吸引した塵埃の大きさも検出できるため、その両方の情報を基に吸引した塵埃がダニであるかどうかの推定ができる。これによりダニ検出の精度が高くなり、使用者に精度の高い情報を提供できる。
【００１４】
第２の発明は、特に、第１の発明の電気掃除機を運転する前の湿度検出手段の出力と運転中の前記湿度検出手段の出力を比較する湿度差比較手段を備え、前記湿度差比較手段の出力が所定値以上であると、吸引した塵埃がダニであると推定するもので、電気掃除機の
運転開始前は、ほぼ大気の湿度を検出でき、運転中は、例えば天日干しされていない布団などの湿度の高い被清掃面を清掃した場合は、被清掃面の湿度を正確に検出できない場合でも、大気と比較し相対的に湿度が高いかどうかを検出できるため、部屋の絶対湿度が変化した場合であっても被清掃面の湿度を的確に検知でき、その情報をダニ推定に加味できる。よってダニ検出の精度が高くなり、使用者に精度の高い情報を提供できる。
【００１５】
第３の発明は、特に、第１または第２の発明における電気掃除機は、被清掃面の塵埃を吸引する吸込口を有する吸い込み具を備え、湿度検出手段を前記吸込口の近傍に設けるもので、清掃時に被清掃面の湿度をより検知しやすくなり、実際の塵埃吸引時の湿度を検出できるため、よりダニ検出の精度が高くなり、使用者に精度の高い情報を提供できる。
【００１６】
第４の発明は、特に、第１〜３のいずれか一つの発明の電気掃除機は、吸引した塵埃がダニであると推定された場合、使用者に吸引塵埃がダニであることを報知する報知手段を備えたもので、使用者の視覚や聴覚へダニ検出の情報を確実に報知することができるため、使い勝手のよい電気掃除機を提供することができる。
【００１７】
第５の発明は、特に、第１〜４のいずれか一つの発明の電気掃除機は、吸引した塵埃がダニであると推定された場合、電動送風機駆動手段は電動送風機への通電量を上げるもので、吸引した塵埃がダニであると推定された場合は、より電動送風機への通電量を上げることで吸引力を高め、より確実にダニを吸引することができることに加え、強力に吸引することでダニが吸気通路へ衝突し死滅する効果が期待でき、使い勝手のよい電気掃除機を提供することができる。
【００１８】
第６の発明は、特に、第３〜５のいずれか一つの発明の吸い込み具は、塵埃を掻き上げる回転ブラシと前記回転ブラシを駆動する電動機を内蔵し、吸引した塵埃がダニであると推定された場合、前記電動機の回転数を上げるもので、吸引した塵埃がダニであると推定された場合は、より回転ブラシの回転数を上げることができ、被清掃面のダニをより掻き出すことができるため、より確実に被清掃面のダニを吸引することができる、使い勝手のよい電気掃除機を提供することができる。
【００１９】
以下、本発明の実施の形態について図面を参照しながら説明する。なお、この実施の形態によって本発明が限定されるものではない。
【００２０】
（実施の形態１）
本発明の実施の形態１における電気掃除機について、図１〜７を用いて説明する。図１は、本実施の形態における電気掃除機の斜視図、図２は、同電気掃除機の吸い込み具の断面図、図３は、同電気掃除機の制御ブロック図、図４は、同電気掃除機の塵埃検知部の断面図、図５は、同電気掃除機において、大きい塵埃の場合の第１増幅判定手段と第２増幅判定手段の出力の関係を示すグラフ、図６は、同電気掃除機において、小さい塵埃の場合の第１増幅判定手段と第２増幅判定手段の出力の関係を示すグラフ、図７は、同電気掃除機において、被清掃面である布団を掃除した場合の塵埃の検出量と湿度センサの出力の組み合わせパターンを示す図である。
【００２１】
図１において、本実施の形態における電気掃除機４０は、吸引風を発生する電動送風機２を内蔵した掃除機本体１と、電動送風機２の異なった入力（供給電力）での動作モードを操作する操作部４を有したホース３と、延長管５と、被清掃面に接して塵埃等を吸い込む吸い込み具８と、吸引した塵埃を蓄積しておく集塵室６を備え、ホース３と集塵室６は、掃除機本体１に設けた吸気口７を介して接続され、集塵室６と吸気口７とホース３と延長管５と吸い込み具８で吸気流路を形成している。
【００２２】
吸い込み具８には、床面に対向して、床面上の塵埃を掻き上げる回転ブラシ９と、回転ブラシ９を回転駆動するための電動機１０が内蔵されている。ホース３の掃除機本体１側端部には、吸引される空気中に含まれる塵埃を検知する塵埃検出部１１が設けられていると共に、延長管５との接続部側には、使用者が清掃作業する際に握る手元把持部１２が設けられており、手元把持部１２には、使用者が操作することで電動送風機２への電力供給を開始または停止したりさせる、または電動送風機２への通電量を選択する操作部４と、塵埃が検出されたことを使用者に報知する塵埃検出報知手段１３と、吸引した塵埃がダニであると推定された場合に、その情報を使用者に報知するダニ推定報知手段１４が配されている。
【００２３】
図２に示すように、吸引風が通過する吸い込み具８の吸込口１８近傍に湿度検出手段として湿度センサ１５が配置され、被清掃面の近傍または被清掃面の含有水分を加味した湿度を精度よく検出する構成となっている。
【００２４】
本実施の形態では、吸引風が通過する吸い込み具８に湿度センサ１５を配しているが、延長管５やホース３の吸気経路に設けても、吸引時の被清掃面の近傍または被清掃面の含有水分を検出することは可能で、特に塵埃検出部１１近傍に配すると、湿度センサ１５の信号伝達配線が容易にできる利点も見込める。
【００２５】
図３において、塵埃検出部１１には、第１塵埃検出手段２０と、第２塵埃検出手段２１が内蔵され、第１塵埃検出手段２０は、塵埃検知部２２と、塵埃検知部２２からの信号を増幅する第１増幅判定手段２０ａからなり、第２塵埃検出手段２１は、塵埃検知部２２（第１塵埃検出手段２０のそれと共用）と塵埃検知部２２からの信号を増幅すると共に第１増幅判定手段２０ａの増幅率よりも大きな増幅率を有する第２増幅判定手段２１ａから構成されている。
【００２６】
塵埃検知部２２は、光を発光する赤外発光ダイオードなどからなる発光部１６と、フォトトランジスタなどからなり発光部１６からの光を受ける受光部１７から構成されている。
【００２７】
掃除機本体１には、さらに、電動送風機２を駆動する電動送風機駆動手段２７と、電動機１０を駆動する電動機駆動手段２８と、吸引される空気中の塵埃の量を検知すると共に制御判断手段２９に信号を送る塵埃量計測手段２５とを備えている。
【００２８】
塵埃量計測手段２５は、オペアンプやコンパレータなどで構成された増幅機能とフィルター機能を有した第１増幅判定手段２０ａからの信号を受けて塵埃の数を計数する第１塵埃計数手段２３と、第１増幅判定手段２０ａと同様な機能を有した第２増幅判定手段２１ａからの信号を受けて塵埃の数を計数する第２塵埃計数手段２４とから構成されている。
【００２９】
制御判断手段２９は、塵埃量計測手段２５の情報と、吸い込み具８に配されている湿度センサ１５の情報と、使用者が操作する操作部４からの情報とを信号として受け、電動送風機駆動手段２７と、電動機駆動手段２８と、塵埃検出報知手段１３と、ダニ推定報知手段１４へ制御信号を送る制御を行なう構成となっている。
【００３０】
以上のように構成された本実施の形態における電気掃除機について、以下、その動作、作用を説明する。
【００３１】
まず、掃除機本体１を商用電源（図示せず）に接続し、使用者は、操作部４によって運転を指示する。操作部４から制御判断手段２９に操作信号が送られ、操作された内容にしたがって、制御判断手段２９は、所定の初期値（例えば５００Ｗ）の電力で運転が行われ
るように電動送風機駆動手段２７、および電動機駆動手段２８へ駆動信号を送る。電動送風機駆動手段２７、および電動機駆動手段２８は、送られてきた信号によってそれぞれ電動送風機２および電動機１０への通電を行い、電動送風機２および電動機１０は回転を開始し、吸引力が発生し、使用者は被清掃面（ここでは主にダニの多い布団とする）の掃除動作を開始する。
【００３２】
このとき、吸引力により被清掃面である布団の表面近傍や布団使用者の汗などを含んだ湿気などを湿度センサ１５が検知し、制御判断手段２９が湿度センサ１５の出力信号を受け取る。
【００３３】
一方、この吸引力によって、吸引された塵埃は、ホース３を経て掃除機本体１内の集塵室６で集塵される。この間、図４に示すように、塵埃検出部１１の吸引経路内を塵埃が通過する。つまり発光部１６と受光部１７の間を塵埃が通過することで受光量が変化し、その変化量は、塵埃の大きさに依存する。つまり、塵埃検知部２２での受光量の変化が、第１塵埃検出手段２０と第２塵埃検出手段２１に信号を送られ、まず、第１塵埃検出手段２０で受けた信号を第１増幅判定手段２０ａで増幅し、この結果が、所定の閾値を越えていれば、第１の塵埃検出信号として出力する。
【００３４】
さらに、第１塵埃検出手段２０の出力結果に関わらず、第２塵埃検出手段２１では、受けた信号を第２増幅判定手段２１ａで増幅し、所定の閾値を越えていれば、第２の塵埃検出信号として出力する。このとき、第２増幅判定手段２１ａの増幅率は、第１増幅判定手段２０ａの増幅率よりも大きく設定しておくことで、比較的大きな塵埃の場合には、第１増幅判定手段２０ａでも反応したと判定でき、第１の塵埃検出信号、第２の塵埃検出信号ともに出力される。
【００３５】
また、小さな塵埃の場合には、第１増幅判定手段２０ａでは判定レベルに達せず、第２増幅判定手段２１ａでのみ反応したと判定でき、第２の塵埃検出信号のみが検出され出力される。
【００３６】
以上のように、増幅率の差で、塵埃の大きさ判定を分別することで、受・発光部１７、１６での通過速度が等しく、パルス幅では十分な差が得られない塵埃（例えば径が０．１ｍｍの塵埃と０．０３ｍｍの塵埃）であっても、信号として区別できる。
【００３７】
ここで、まずこの吸引力によって吸引された塵埃が比較的大きな塵埃の場合、塵埃検知部２２の発光部１６と受光部１７の間を塵埃が通過するとき、第１、第２塵埃検出手段２０、２１が出力する信号は、図５のようになる。
【００３８】
同図の実線は、第１塵埃検出手段２０で受けた信号を第１増幅判定手段２０ａで増幅した出力を示し、点線は、第２塵埃検出手段２１で受けた信号を第２増幅判定手段２１ａで増幅した出力を示したものである。この場合、第１塵埃検出手段２０、第２塵埃検出手段２１のどちらも塵埃を検出するための予め設定していた所定の閾値を超える為、第１、第２塵埃検出手段２０、２１のどちらも塵埃を検出することができる。
【００３９】
この場合は、大きな塵埃が通過したと考えられるため、第１塵埃計数手段２３によって大きな塵埃の量をカウントする。次に吸引された塵埃が花粉やダニのように小さい塵埃の場合、図６に示すように、第２塵埃検出手段２１の出力は検出できるが、第１塵埃検出手段２０の出力は、閾値を超えない為、第１塵埃検出手段２０によって検出することはできない。この場合には、第２塵埃計数手段２４により小さな塵埃の量をカウントする。
【００４０】
第１塵埃計数手段２３および第２塵埃検出手段２１によりカウントされた塵埃量は制御
判断手段２９に信号として送られる。このとき、制御判断手段２９は、湿度センサ１５の出力と、第１塵埃計数手段２３によりカウントされた大きな塵埃（ここでは径が０．１ｍｍ程度の人間の髪の毛などとする）の量と、第２塵埃計数手段２４によりカウントされた小さな塵埃（ここでは径が０．０３ｍｍ程度のダニや花粉などとする）の量とを加味して、ＬＥＤで構成される塵埃検出報知手段１３と、ダニ推定報知手段１４へ制御信号を送る。
【００４１】
被清掃面である布団を掃除した場合の塵埃の検出量と湿度センサの出力の組み合わせパターンは図７に示されるようなパターンがあり、制御判断手段２９が塵埃検出報知手段１３に信号を送る塵埃検出閾値は、検出された塵埃において、カウントされた大きな塵埃の量と小さな塵埃の量の合計が５以上と設定する。
【００４２】
また、制御判断手段２９が、ダニが繁殖しやすいと推定する湿度の湿度閾値は、湿度センサ１５の出力が相対湿度５０％以上と設定する。（以下湿度センサ１５の出力が相対湿度５０％以上を高湿度、相対湿度５０％未満を低湿度と表現する。）
パターンＡについては、被清掃面において大きな塵埃の量が小さな塵埃の量より多く、合計の塵埃量が５未満であり塵埃がほとんど無い状態でかつ低湿度の状態を表しており、パターンＢについてはパターンＡと同様の塵埃量でかつ高湿度の状態を表している。このときは、塵埃がほとんどないと考えられるため、制御判断手段２９は、塵埃検出報知手段１３およびダニ推定報知手段１４は消灯とする。
【００４３】
パターンＣについては、被清掃面において小さな塵埃の量が大きな塵埃の量より多く、合計の塵埃量が５未満であり塵埃がほとんど無い状態でかつ低湿度の状態を表しており、パターンＤについてはパターンＣと同様の塵埃量でかつ高湿度の状態を表している。このときは、塵埃がほとんどないと考えられるため、制御判断手段２９は、塵埃検出報知手段１３およびダニ推定報知手段１４は消灯とする。
【００４４】
パターンＥについては、被清掃面において大きな塵埃の量が小さな塵埃の量より多く、合計の塵埃量が５以上であり塵埃が存在する状態でかつ低湿度の状態を表しており、パターンＦについてはパターンＥと同様の塵埃量でかつ高湿度の状態を表している。このときは、０．１ｍｍ程度の大きな塵埃が多数存在するが、ダニのような塵埃は存在しないため、低湿度、高湿度に関わらず、制御判断手段２９は、塵埃検出報知手段１３は点灯し、ダニ推定報知手段１４を消灯とする。
【００４５】
パターンＧについては、被清掃面において小さな塵埃の量が大きな塵埃の量より多く、合計の塵埃量が５以上であり、０．０３ｍｍ程度の小さな塵埃が多く存在していることを表す。さらに、低湿度状態であることから、実際の被清掃面ではダニが繁殖しやすくダニが多いとは判断できないということを加味し、検出された小さな塵埃はダニではなく、花粉などの細塵であると推定することができる。よって、制御判断手段２９は、塵埃検出報知手段１３は点灯し、ダニ推定報知手段１４を消灯とする。
【００４６】
パターンＨについては、被清掃面において小さな塵埃の量が大きな塵埃の量より多く、合計の塵埃量が５以上であり、０．０３ｍｍ程度の小さな塵埃が多く存在していることを表す。さらに、高湿度状態であることから、実際の被清掃面ではダニが繁殖しやすくダニが多いと判断できるということを加味し、検出された小さな塵埃はダニである確率が高いと推定することができる。よって、制御判断手段２９は、塵埃検出報知手段１３およびダニ推定報知手段１４を点灯とする。
【００４７】
塵埃検出報知手段１３およびダニ推定報知手段１４はＬＥＤで構成された１つの報知手段とし、塵埃検出の場合は遅い点滅、ダニ推定検出の場合は早い点滅とすることでより安
価な構成とすることもできる。
【００４８】
なお上記に加え温度センサ（図示せず）の情報をさらに加え判断するとより検知精度は向上するものと考えられる。
【００４９】
これにより、被清掃面の近傍または被清掃面の含有水分を加味した湿度を精度よく検出し、さらに、吸引した塵埃の大きさも検出するため、ダニ検出の精度が高くなり、使用者に精度の高い情報を提供できる。
【００５０】
さらに、パターンＨの時には、ダニが検出されていることになるため、制御判断手段２９は、電動送風機駆動手段２７を通じて電動送風機２への通電量をあげる。これにより吸引力を高め、より確実に被清掃面に存在するダニを吸引することができることに加え、強力に吸引することでダニが吸気通路へ衝突し死滅する効果を期待できる。
【００５１】
また、同様にパターンＨの時には、ダニが検出されていることになるため、制御判断手段２９は、電動機駆動手段２８を通じて電動機１０により回転する回転ブラシ９の回転数をあげる。これにより、被清掃面のダニをより掻き出すことができるため、より確実に被清掃面のダニを吸引することができる。
【００５２】
以上のように、本実施の形態においては、被清掃面の近傍の湿度を検知する湿度センサ１５を吸引風が通過する経路に設けているため、被清掃面の近傍または被清掃面の含有水分を加味した湿度を精度よく検出することができ、さらに、吸引した塵埃の大きさも検出でき、その両方の情報を基に吸引した塵埃がダニであるかどうかの推定ができるため、ダニ検出の精度が高くなり、使用者に精度の高い情報を提供でき、効率的に被清掃面を清掃できる使い勝手のよい電気掃除機を提案することができる。
【００５３】
（実施の形態２）
図８は、本発明の実施の形態２における電気掃除機の制御ブロック図、図９は、同電気掃除機において、被清掃面である布団を掃除した場合の塵埃の検出量と湿度センサの出力の組み合わせパターンである。なお、上記実施の形態１における電気掃除機と同一部分については同一符号を付してその説明を省略する。
【００５４】
図８において、使用者が、掃除機本体１を商用電源（図示せず）に接続し、操作部４を操作し、掃除機本体１を運転する前の湿度センサ１５の出力と、操作後の掃除機本体１が運転中の湿度センサ１５の出力を比較する湿度差比較手段２６が配されている。
【００５５】
被清掃面である布団を掃除した場合の塵埃の検出量と湿度差比較手段２６の出力の組み合わせパターンは図９に示されるようなパターンがあり、制御判断手段２９が塵埃検出報知手段１３に信号を送る塵埃検出閾値は、検出された塵埃において、カウントされた大きな塵埃の量と小さな塵埃の量の合計が５以上と設定する。
【００５６】
また、湿度差比較手段２６が被清掃面の湿度が高湿度であると判断する閾値を、使用者が掃除機本体１を運転開始させる前の湿度と操作後の掃除機本体１が運転中の湿度との差分の絶対値が５％以上とし、５％未満であれば被清掃面は低湿度と判断する。
【００５７】
上記実施の形態１と同様に、パターンＨの場合は、被清掃面において小さな塵埃の量が大きな塵埃の量より多く、合計の塵埃量が５以上であり、０．０３ｍｍ程度の小さな塵埃が多く存在していることを表す。さらに、被清掃面の湿度が高湿度であるので、ダニが繁殖しやすくダニが多いと判断できるということを加味し、検出された小さな塵埃はダニである確率が高いと推定することができる。よって、制御判断手段２９は、塵埃検出報知手
段１３およびダニ推定報知手段１４を点灯とする。
【００５８】
以上のように、本実施の形態においては、小さな塵埃の量のカウント量が多く、湿度差比較手段２６の出力が所定値以上であると、吸引した塵埃がダニであると推定することができる。
【００５９】
これにより、電気掃除機の運転開始前は、ほぼ大気の湿度を検出でき、運転中は、例えば天日干しされていない布団などの湿度の高い被清掃面を清掃した場合は、被清掃面の湿度を正確に検出できない場合でも、大気と比較し相対的に湿度が高いかどうかを検出できるため、部屋の湿度が変化した場合であっても被清掃面の湿度を的確に検知でき、その情報をダニ推定に加味できる。よってダニ検出の精度が高くなり、使用者に精度の高い情報を提供できる。
【産業上の利用可能性】
【００６０】
本発明の電気掃除機は、被清掃面のダニ検出を精度よく行なうことができ、使用者にその情報を提供できるため、特に使用者がダニの除去を気にする、家庭の布団用電気掃除機の分野・用途に好適に適用することができる。
【符号の説明】
【００６１】
１  掃除機本体
２  電動送風機
３  ホース
４  操作部
５  延長管
６  集塵室
７  吸気口
８  吸い込み具
９  回転ブラシ
１０  電動機
１１  塵埃検出部
１２  手元把持部
１３  塵埃検出報知手段
１４  ダニ推定報知手段（報知手段）
１５  湿度センサ（湿度検出手段）
１６  発光部
１７  受光部
１８  吸込口
２０  第１塵埃検出手段
２１  第２塵埃検出手段
２２  塵埃検知部
２３  第１塵埃計数手段
２４  第２塵埃計数手段
２５  塵埃量計測手段
２６  湿度差比較手段
２７  電動送風機駆動手段
２８  電動機駆動手段
２９  制御判断手段
４０  電気掃除機
【図１】
2017131266.tif 000003
【図２】
2017131266.tif 000004
【図３】
2017131266.tif 000005
【図４】
2017131266.tif 000006
【図５】
2017131266.tif 000007
【図６】
2017131266.tif 000008
【図７】
2017131266.tif 000009
【図８】
2017131266.tif 000010
【図９】
2017131266.tif 000011